(57)【要約】【課題】  従来とは全く異なる用途にも使用できる新規なクリップを提供すること。【解決手段】  各々が挟み係合用縁部を有する一対のクリップ部材が該挟み係合用縁部を対向させた関係で軸周りに回動可能に組み合わされ、該一対のクリップ部材はその挟み係合用縁部が互いに係合する方向に弾性的に付勢され、この弾性的な付勢に抗してクリップ部材を回動させることにより挟み係合用縁部が係合位置から開かれるようになったクリップを、暗所において発光する構造にして、従来とは異なる用途にも使用できるようにする。クリップ部材はプラスチック材料の成形品であり、該クリップ部材を構成するプラスチック材料に蓄光性物質が混合されるか、又は該クリップ部材の表面に蓄光性塗料の塗膜が形成されて、周囲が暗い状態のもとで発光するようにされる。【選択図】      図２
2005291421.tif 000002
【特許請求の範囲】
【請求項１】
各々が挟み係合用縁部を有する一対のクリップ部材が該挟み係合用縁部を対向させた関係で回動軸周りに回動可能に組み合わされ、前記一対のクリップ部材は前記挟み係合用縁部が互いに係合する方向に弾性的に付勢され、この弾性的な付勢に抗して前記クリップ部材を回動させることにより前記挟み係合用縁部が係合位置から開かれるようになったクリップであって、
前記クリップ部材はプラスチック材料の成形品であり、
前記クリップ部材の少なくとも一方を構成するプラスチック材料に蓄光性物質が混合されるか、又は該クリップ部材の表面又は裏面の少なくとも一部に蓄光性塗料の塗膜が形成されて、周囲が暗い状態のもとで発光するようになった、
ことを特徴とするクリップ。
【請求項２】
請求項１に記載したクリップであって、プラスチック材料製の前記クリップ部材の少なくとも一方に弾性片が一体に成形され、この弾性片の他端が他方のクリップ部材に係合して弾性的付勢力を生じさせるようになったことを特徴とするクリップ。
【請求項３】
請求項２に記載したクリップであって、前記一対のクリップ部材の両方に弾性片が一体に形成され、両クリップ部材の弾性片の端部が互いに係合して前記弾性的な付勢力を生じさせるようになったことを特徴とするクリップ。
【請求項４】
請求項１から請求項３までのいずれか１項に記載したクリップであって、前記一対のクリップ部材の一方にマグネットが取り付けられ、磁性物体に磁気的に付着させ得るようになったことを特徴とするクリップ。
【発明の詳細な説明】
【技術分野】
【０００１】
本発明は、洗濯挟み、書類挟みなどのクリップに関する。特に本発明は、プラスチック材料の成形により製造されたクリップに関する。
【背景技術】
【０００２】
洗濯挟み、書類挟みなどのクリップは周知である。また、これらのクリップを構成するクリップ部材をプラスチック材料の成形により製造することも周知である。公知の構造のクリップは、一対のクリップ部材を回動軸により互いに回動自在に組み合わせ、金属製のコイルばねを該回動軸周りに配置してクリップ部材に弾性的付勢力を与え、対をなすクリップ部材の挟み係合用縁部を互いに係合させる。縁部のこの挟み係合は、挟み係合用縁部から遠い側の端部において対のクリップ部材を指によりつまむことにより、解除することができる。
【０００３】
このようなクリップの構造は、文献を挙げるまでもなく周知であり、身の回りに幾つでも見ることができる。
【発明の開示】
【発明が解決しようとする課題】
【０００４】
本発明は、従来とは全く異なる用途にも使用できる新規なクリップを提供することを課題とする。
【課題を解決するための手段】
【０００５】
本発明は、各々が挟み係合用縁部を有する一対のクリップ部材が該挟み係合用縁部を対向させた関係で軸周りに回動可能に組み合わされ、該一対のクリップ部材はその挟み係合用縁部が互いに係合する方向に弾性的に付勢され、この弾性的な付勢に抗してクリップ部材を回動させることにより挟み係合用縁部が係合位置から開かれるようになったクリップを、暗所において発光する構造にして、従来とは異なる用途にも使用できるようにするものである。このために、本発明によるクリップにおいては、クリップ部材はプラスチック材料の成形品であり、該クリップ部材の少なくとも一方を構成するプラスチック材料に蓄光性物質が混合されるか、又は該クリップ部材の表面又は裏面の少なくとも一部に蓄光性塗料の塗膜が形成されて、周囲が暗い状態のもとで発光するようにされる。
【０００６】
本発明によるクリップは、上述のように構成されているので、従来のクリップと同様な洗濯挟みや書類挟みとしての用途は勿論、従来とは全く異なる用途にも使用することができる。例えば、本発明によるクリップを部屋の適所においてカーテンその他の適当な物品に取り付けることにより、夜間に照明灯を点灯させなくとも位置の表示が可能になる。また、このクリップの適当数を部屋又は廊下に配置することにより、暗がりでも照明灯の点灯なしに、例えば便所への方向を示すことが可能になる。
【０００７】
本発明の一態様においては、プラスチック材料製のクリップ部材の少なくとも一方に弾性片が一体に形成され、この弾性片の端部が他方のクリップ部材に係合して弾性的な付勢力を生じさせるように構成される。この場合、一対のクリップ部材の両方に弾性片を一体に形成し、両クリップ部材の弾性片の端部が互いに係合して弾性的な付勢力を生じさせるように構成することができる。この構成によれば、従来のクリップに使用される金属製のコイルばねを省略することができ、部品点数を減少させ、組み立ての手間を大幅に省くことが可能になる。
【０００８】
さらに、本発明の別の態様においては、一対のクリップ部材の一方にマグネットを取り付けて、例えば冷蔵庫の壁面のような磁性物体に磁気的に付着させ得るようにする。この構成によれば、夜間の暗がりでも冷蔵庫などの位置を知ることができて便利さが増大する。
【発明を実施するための最良の形態】
【０００９】
図１及び図２は、本発明の一実施形態によるクリップ１を閉じ状態で示す側面図及び断面図である。クリップ１は、第１のクリップ部材２及び第２のクリップ部材３からなる。図３の平面図から分かるように、クリップ部材２、３はほぼ４角形の平面形状の平坦部分２ａ、３ａを有し、該平坦部分２ａ、３ａの一辺に挟み係合用縁部２ｂ、３ｂが形成される。第１のクリップ部材２には、挟み係合用縁部２ｂの反対側の辺に平坦部分２ａから直角に延びる端壁２ｃが形成され、該端壁２ｃから挟み係合用縁部２ｂまでの間に一対の側壁２ｄが形成されている。同様に、第２のクリップ部材３には、端壁３ｃ及び一対の側壁３ｄが形成されている。図１及び図２から分かるように、第１のクリップ部材２は第２のクリップ部材３の外側に被る大きさである。図３に明瞭に示され、図２からも分かるように、第２のクリップ部材３の平坦部分３ａには４角形の切欠き開口３ｅが形成されている。同様に、第１のクリップ部材２にも４角形の切欠き開口２ｅが形成されている。挟み係合用縁部２ｂ、３ｂを含む平坦部分２ａ、３ａ、端壁２ｃ、３ｃ及び側壁２ｄ、３ｄにより、クリップ部材２、３の本体部分が構成される。
【００１０】
図１及び図４を参照すると、第１のクリップ部材２の各側壁２ｄには、長さ方向のほぼ中間部に、縁部から外方に張り出した半円形の張出し部２ｆが形成されている。図５、図６、図７に示すように、第１のクリップ部材２には、張出し部２ｆより幅方向内方に寄った位置で、平坦部分２ａから内方に突出するポスト２ｇが形成され、側壁２ｄと該ポスト２ｇとの間にヒンジピン２ｈが形成されている。当然のことであるが、両側の側壁２ｄとポスト２ｇとの間に設けられるヒンジピンは、互いにほぼ同軸である。
【００１１】
図８、図９、図１０を参照すると、第２のクリップ部材３の両側壁３ｄには、第１のクリップ部材２のヒンジピン２ｈに対応する前後方向の位置における縁部にヒンジピン２ｈを受けるための軸受け部３ｆが形成されている。軸受け部３ｆは、図１１に示すように、上方が開放した部分円形の形状を有し、上方の開放部分の幅は部分円形の円の最大直径より僅かに小さい。
【００１２】
再び図５、図６、図７を参照すると、第１のクリップ部材２には挟み係合用縁部２ｂに近い方の切欠き開口２ｅの縁から平坦部分２ａに対して斜めに角度をなすように延びる弾性片４が、クリップ部材２の本体部分と一体に形成されている。図５から分かるように、弾性片４が延びる方向は、側壁２ｄの縁部にほぼ沿った方向である。弾性片４の末端は自由端であり、当該末端には外向きに屈曲した係合部４ａが形成されている。
【００１３】
図８及び図１０を参照すると、第２のクリップ部材３には、平坦部分３ａに形成された切欠き開口３ｅの挟み係合用縁部３ｂに近い方の縁から該平坦部分３ｅに対して斜めに角度をなすように延びる弾性片５が一体に形成されている。弾性片４におけると同様に、弾性片５にも、末端の自由端に外向きに屈曲した係合部５ａが形成されている。
【００１４】
図１及び図２は、第１及び第２のクリップ部材２、３が組み立てられた状態の完成されたクリップ１を示す。クリップ部材２、３は、互いの弾性片４、５における係合部４ａ、５ａを突き合わせ、第１のクリップ部材２のヒンジピン２ｈを第２のクリップ部材３の軸受け部３ｆに嵌合させることにより組み立てられる。この状態では、両方の弾性片４、５は互いに弾性的に押し合う関係になり、その弾性によりクリップ部材２、３の挟み係合用縁部２ｂ、３ｂを互いの方向に押し付ける。図１２はクリップ１を開いた状態で示すものであり、クリップ１は、挟み係合用縁部２ｂ、３ｂから遠い側でクリップ部材２、３を互いの方向に押すという、通常のクリップにおける開き動作と同じ動作により、弾性片４、５を弾性的に撓ませて図１２の状態にすることができる。
【００１５】
なお、弾性片は、必ずしも第１、第２クリップ部材２、３の両方に設ける必要はない。すなわち、一方のクリップ部材に弾性片を設け、他方のクリップ部材には、この一方のクリップ部材に設けた弾性片の末端を受ける係合部材を形成する。この場合には、該一方のクリップ部材に形成される弾性片は、図示の形状よりは傾斜角度を大きくする。
【００１６】
クリップ部材２、３は、射出成形その他のプラスチック材料の成形技術を利用して成形可能な硬質プラスチック材料であれば、どのような材料でも使用できる。代表的なプラスチック材料は、ポリプロピレン、ＡＢＳ樹脂、ＰＭＭＡであり、透明な材料が好ましい。クリップ部材２、３は、本体部分と弾性片とが一体に成形されているので、金属コイルばねのような別体のばね部品を必要とせず、従来のクリップに比べて部品点数が少なく、組立て工数も少なくてすむ。
【００１７】
本発明の特徴として、クリップ部材２、３は、暗所で発光する構成を有する。このために、本発明の一態様においては、プラスチック材料に蓄光性物質が混合される。蓄光性物質は、光エネルギを受けて該光エネルギを蓄積し、暗所で光を発生する物質である。代表的な蓄光性物質としては、硫化亜鉛系及び硫化カルシウム系の物質がある。蓄光性材料の添加割合は、全体の重量に対する重量比で５ないし２０％とすればよい。
【００１８】
この実施形態の構成によれば、クリップ部材２、３は、暗所に置かれたとき発光するので、照明灯を点灯させなくともその位置を知ることができ、従来のクリップでは不可能であった使用方法が可能になる。また、別の構成として、蓄光性物質をプラスチック材料に添加せず、代わりに、成形されたクリップ部材に蓄光性塗料の塗装膜を形成してもよい。この場合には、蓄光性塗料の塗膜は、必ずしもクリップ部材の前面に形成する必要はなく、一部のみに形成することで十分に目的を達成することができる。
【００１９】
また、クリップ部材の一方、例えば図２に示すようにクリップ部材３にマグネット６を外付けするか、又は埋め込むことも可能である。この構成によれば、クリップ１を冷蔵庫外壁などの磁性材料部分に取り付けることができるようになる。
【００２０】
本発明のクリップは、上述の実施形態に示す形状に限られることはなく、種々の形態で実施することができる。
【図面の簡単な説明】
【００２１】
【図１】本発明の一実施形態によるクリップを閉じた状態で示す側面図である。
【図２】図１に示すクリップの縦断面図である。
【図３】図１に示すクリップを下側からみた平面図である。
【図４】第１のクリップ部材の側面図である。
【図５】第１のクリップ部材の縦断面図である。
【図６】第１のクリップ部材の横断面図である。
【図７】第１のクリップ部材を裏側からみた平面図である。
【図８】第２のクリップ部材を裏側からみた平面図である。
【図９】第２のクリップ部材の側面図である。
【図１０】第２のクリップ部材の弾性片を示す断面図である。
【図１１】第２のクリップ部材の側壁の一部を示す拡大図である。
【図１２】図１に示すクリップを開いた状態で示す縦断面図である。
【符号の説明】
【００２２】
１・・・クリップ、２・・・第１のクリップ部材、３・・・第２のクリップ部材、
２ｂ、３ｂ・・・挟み係合用縁部、４、５・・・弾性片
【図１】
2005291421.tif 000003
【図２】
2005291421.tif 000004
【図３】
2005291421.tif 000005
【図４】
2005291421.tif 000006
【図５】
2005291421.tif 000007
【図６】
2005291421.tif 000008
【図７】
2005291421.tif 000009
【図８】
2005291421.tif 000010
【図９】
2005291421.tif 000011
【図１０】
2005291421.tif 000012
【図１１】
2005291421.tif 000013
【図１２】
2005291421.tif 000014